(57)【要約】【課題】防汚性、信頼性、測定精度を向上させ得るようにする。【解決手段】筐体１の上面に設置されて被加熱物を載置するトッププレートと、トッププレートの下側に設けた誘導加熱コイル８ａ，８ｂと、被加熱物から放射される赤外線量を検出する赤外線センサーと、赤外線センサーの出力の少なくとも一部を処理するセンサー回路が設けられたセンサー回路基板と、被加熱物から放射される赤外線の光軸を変換して赤外線センサーに導く光学部材と、センサー回路基板の出力に基づき誘導加熱コイルを駆動する制御回路９ａ，９ｂと、を備え、赤外線センサーとセンサー回路基板と光学部材とを一つのセンサーケース１１Ａに納め、センサーケースは、一部が筐体上面から突出し、この突出部に光学部材が配置され、また一部が筐体内に納まるよう筐体内部に取り付ける。【選択図】図２
2011187372.tif 000002
【特許請求の範囲】
【請求項１】
筐体の上面に設置されて被加熱物を載置するトッププレートと、
前記トッププレートの下側に設けた誘導加熱コイルと、
前記被加熱物から放射される赤外線量を検出する赤外線センサーと、
前記赤外線センサーの出力の少なくとも一部を処理するセンサー回路が設けられたセンサー回路基板と、
前記被加熱物から放射される赤外線の光軸を変換して前記赤外線センサーに導く光学部材と、
前記センサー回路基板の出力に基づき前記誘導加熱コイルを駆動する制御回路と、を備え、
前記赤外線センサーと前記センサー回路基板と前記光学部材とを一つのセンサーケースに納め、該センサーケースは、一部が前記筐体上面から突出し、該突出部に前記光学部材が配置され、また残りの部分が前記筐体内に納まるよう該筐体内部に取り付けたことを特徴とする誘導加熱調理器。
【請求項２】
前記筐体内部には、前記センサーケースが係合可能な係止部が設けられており、前記センサーケースは、前記係止部との係合状態から締結部材で前記筐体に固定されていることを特徴とする請求項１記載の誘導加熱調理器。
【請求項３】
前記筐体内部に、前記センサーケースを下方より前記筐体上面に押し付ける付勢手段を設けたことを特徴とする請求項１記載の誘導加熱調理器。
【請求項４】
前記センサーケースに、前記筐体上面に形成したセンサーケース取付穴の周縁部の下面と対向可能な対向面を設けたことを特徴とする請求項１乃至請求項３のいずれかに記載の誘導加熱調理器。
【請求項５】
前記センサーケースに、平面的に見て前記筐体上面の前記センサーケース取付穴のエッジを挟むように樋部を設け、その樋部の外側壁上面を前記対向面とするとともに、該樋部の排水口となる部位に水切部を設けたことを特徴とする請求項４記載の誘導加熱調理器。
【請求項６】
前記センサー回路の接合部は、一端が前記センサー回路基板に接続されるとともに他端に外部接続コネクタを有し前記センサーケースの底面を貫通するセンサー回路ケーブルを備え、該センサー回路ケーブルの前記外部接続コネクタが、前記制御回路側の接続ケーブルに設けられた接続ケーブルコネクタと前記センサーケースの外部において接続されることで、前記制御回路と前記センサー回路基板とが結線されることを特徴とする請求項１乃至請求項５のいずれかに記載の誘導加熱調理器。
【請求項７】
前記センサーケースの底部にコネクタ貫通部が形成され、前記センサー回路の接合部は、前記センサー回路基板から前記コネクタ貫通部まで延出するセンサー回路基板コネクタを備え、該センサー回路基板コネクタが、前記制御回路側の接続ケーブルに設けられた接続ケーブルコネクタと直接接続されることで、前記制御回路と前記センサー回路基板とが結線されることを特徴とする請求項１乃至請求項５のいずれかに記載の誘導加熱調理器。
【請求項８】
前記センサーケースの対向面と前記筐体上面の前記センサーケース取付穴の周縁部の下面との間の隙間に、第１の防水部材を挿入したことを特徴とする請求項４乃至請求項７のいずれかに記載の誘導加熱調理器。
【請求項９】
筐体上面におけるセンサーケース取付穴周辺の少なくとも一部に、凸条部を設けたことを特徴とする請求項１乃至請求項８のいずれかに記載の誘導加熱調理器。
【請求項１０】
前記センサーケースの前記筐体上面からの突出部の外周面を一体的に形成してなることを特徴とする請求項１乃至請求項９のいずれかに記載の誘導加熱調理器。
【請求項１１】
前記センサーケースの前記筐体上面からの突出部は、前面に開口部を有し、該開口部の内側に赤外線透過部材が配置され、該赤外線透過部材の周縁部が前記開口部の縁にて覆われてなることを特徴とする請求項１乃至請求項１０のいずれかに記載の誘導加熱調理器。
【請求項１２】
前記センサーケースの前記筐体内側となる部位に、前記光学部材又は前記赤外線センサーを単体で、前記赤外線センサーと前記センサー回路基板を一体で、又は前記光学部材と前記赤外線センサーと前記センサー回路基板の組合せを一体で、直線または回転移動させる駆動手段を設けたことを特徴とする請求項１１記載の誘導加熱調理器。
【請求項１３】
前記センサーケースと前記赤外線透過部材の接触面の間に第２の防水部材を挿入したことを特徴とする請求項１１又は請求項１２記載の誘導加熱調理器。
【請求項１４】
前記センサーケースの前記筐体内への収納部に、吸気口を設けるとともに、該センサーケースの前記筐体上面からの突出部に、前記赤外線透過部材の外周の少なくとも一部に排気口を設け、これら吸気口と排気口の間を通風可能としたことを特徴とする請求項１１乃至請求項１３のいずれかに記載の誘導加熱調理器。
【請求項１５】
前記センサーケースの前記筐体上面からの突出部の少なくとも一部を覆うカバー部材を具備することを特徴とする請求項１乃至請求項１４のいずれかに記載の誘導加熱調理器。
【請求項１６】
前記カバー部材は、赤外線透過部材で覆われた窓部を有し、前記筐体上面より着脱可能であることを特徴とする請求項１５記載の誘導加熱調理器。
【請求項１７】
前記カバー部材は、通風性を有し、該カバー部材によって吸気または排気を行う通気口の少なくとも一部が覆われてなることを特徴とする請求項１５記載の誘導加熱調理器。
【請求項１８】
前記赤外線透過部材の表面に反射防止膜を備えることを特徴とする請求項１１乃至請求項１７のいずれかに記載の誘導加熱調理器。
【請求項１９】
前記赤外線透過部材の表面に特定波長透過膜を備えることを特徴とする請求項１１乃至請求項１８のいずれかに記載の誘導加熱調理器。
【請求項２０】
前記筐体上面の前記センサーケースを取り付ける開口部は、吸気または排気の通風が可能な開口部と同一の開口部であることを特徴とする請求項１乃至請求項１９のいずれかに記載の誘導加熱調理器。
【請求項２１】
複数の誘導加熱コイルの配置位置があり、前記赤外線センサーを共有する場合は、前記赤外線センサーは、その光軸が各誘導加熱コイルの中心を結ぶ線の中間位置に向くように配置することを特徴とする請求項１乃至請求項２０のいずれかに記載の誘導加熱調理器。
【発明の詳細な説明】
【技術分野】
【０００１】
本発明は、被加熱物から放射される赤外線量を検出する赤外線センサーの筐体上面からの突出量を少なくでき、かつ測定精度を向上させ得る誘導加熱調理器に関する。
【背景技術】
【０００２】
従来より、被加熱物から放射される赤外線量を側面より検出し、被加熱物の温度を測定する機能を備えた誘導加熱調理器は知られている。
【０００３】
このようなものにおいて、被加熱物の温度を測定する赤外線センサー、及びこのセンサーの出力を例えばＡ／Ｄ変換（アナログ／デジタル変換）したり特定波長領域の光の抽出などの処理を行うセンサー回路の基板は、従来、筐体内に直接収納している（例えば、特許文献１参照）。
【先行技術文献】
【特許文献】
【０００４】
【特許文献１】特開２００３−２６４０５５号公報（図１、図２）
【発明の概要】
【発明が解決しようとする課題】
【０００５】
しかしながら、赤外線センサー及びセンサー回路基板を直接筐体に収納するようにしたものにあっては、赤外線センサーの筐体上面からの突出量が大きく、そのため汚れやすく、汚れにより測定精度が低下してしまうという難点があった。
【０００６】
本発明の技術的課題は、防汚性、信頼性、測定精度を向上させ得るようにすることにある。
【課題を解決するための手段】
【０００７】
本発明に係る誘導加熱調理器は、筐体の上面に設置されて被加熱物を載置するトッププレートと、トッププレートの下側に設けた誘導加熱コイルと、被加熱物から放射される赤外線量を検出する赤外線センサーと、赤外線センサーの出力の少なくとも一部を処理するセンサー回路が設けられたセンサー回路基板と、被加熱物から放射される赤外線の光軸を変換して赤外線センサーに導く光学部材と、センサー回路基板の出力に基づき誘導加熱コイルを駆動する制御回路と、を備え、赤外線センサーとセンサー回路基板と光学部材とを一つのセンサーケースに納め、センサーケースは、一部が筐体上面から突出し、この突出部に光学部材が配置され、また残りの部分が筐体内に納まるよう筐体内部に取り付けたものである。
【発明の効果】
【０００８】
本発明に係る誘導加熱調理器においては、赤外線センサーとセンサー回路基板と光学部材とを一つのセンサーケースに納め、センサーケースは、一部が筐体上面から突出し、この突出部に光学部材が配置され、また残りの部分が筐体内に納まるよう筐体内部に取り付けるようにしているので、赤外線センサーの筐体上面からの突出量が少なくなって、防汚性・防水性が高まり、信頼性、測定精度を向上させることができる。
【図面の簡単な説明】
【０００９】
【図１】本発明の実施の形態１に係る誘導加熱調理器の外観を示す斜視図である。
【図２】本発明の実施の形態１に係る誘導加熱調理器のトッププレートを外し、通風口グリルを分解した状態の斜視図である。
【図３】本発明の実施の形態１に係る誘導加熱調理器のセンサーケース取付穴部の分解斜視図である。
【図４】本発明の実施の形態１に係る誘導加熱調理器のセンサーケースの組立体を前方より示す斜視図である。
【図５】本発明の実施の形態１に係る誘導加熱調理器のセンサーケースの組立体を後方より示す斜視図である。
【図６】本発明の実施の形態１に係る誘導加熱調理器のセンサーケースの分解斜視図である。
【図７】本発明の実施の形態１に係る誘導加熱調理器の赤外線センサー及びセンサー回路基板の保持状態を示すセンサーケースの上部品の下面図である。
【図８】本発明の実施の形態１に係る誘導加熱調理器のカバー部材を含むセンサーケース取付穴部の側面断面図である。
【図９】本発明の実施の形態２に係る誘導加熱調理器のトッププレートを外し、片側の通風口グリルを分解した状態の斜視図である。
【図１０】本発明の実施の形態２に係る誘導加熱調理器の基板ケースユニットとチャンバを分解した状態の斜視図である。
【図１１】本発明の実施の形態２に係る誘導加熱調理器のセンサーケース取付穴部の斜視図である。
【図１２】本発明の実施の形態２に係る誘導加熱調理器のセンサーケース取付穴部の分解斜視図である。
【図１３】本発明の実施の形態２に係る誘導加熱調理器のセンサーケースの分解斜視図である。
【図１４】本発明の実施の形態２に係る誘導加熱調理器の赤外線センサー及びセンサー回路基板の保持状態を示すセンサーケースの中間部品の下面図である。
【図１５】本発明の実施の形態２に係る誘導加熱調理器のカバー部材を含むセンサーケース取付穴部の側面断面図である。
【発明を実施するための形態】
【００１０】
実施の形態１．
図１は本発明の実施の形態１に係る誘導加熱調理器の外観を示す斜視図、図２はそのトッププレートを外し、通風口グリルを分解した状態の斜視図、図３はそのセンサーケース取付穴部の分解斜視図、図４はそのセンサーケースの組立体を前方より示す斜視図、図５はそのセンサーケースの組立体を後方より示す斜視図、図６はそのセンサーケースの分解斜視図、図７はその赤外線センサー及びセンサー回路基板の保持状態を示すセンサーケースの上部品の下面図、図８はそのカバー部材を含むセンサーケース取付穴部の側面断面図である。
【００１１】
本実施の形態の誘導加熱調理器は、図１乃至図８のように筐体１の上面における背面側の２ヶ所に通風口グリル２ａ，２ｂと一体化されて通風性を有し、吸気または排気を行う通気口の少なくとも一部を覆うカバー部材３ａ，３ｂがそれぞれ設けられている。これらカバー部材３ａ，３ｂには、赤外線センサーが受光するための窓部が設けられ、窓部に赤外線透過部材５ａ，５ｂがそれぞれ取り付けられていて、トッププレート３０に載置される被加熱物から放射される赤外線が入射可能となっている。また、トッププレート３０の下側には、前面側に左右とそれらの中間部の後方位置に、それぞれ誘導加熱コイル８ａ，８ｂ，８ｃが設けられているとともに、左右後方の空いているスペースに、赤外線センサー４による検出結果や図示しないサーミスタによる温度検知の結果に基づき誘導加熱コイル８ａ，８ｂ，８ｃを駆動する制御回路の基板（以下、「制御基板」という）９ａ，９ｂが配置されている。
【００１２】
筐体上面の背面側には、中央に排気口６、その両側に吸気口７ａ，７ｂがそれぞれ設けられている。但し、これら排気口６及び吸気口７ａ，７ｂでなる通風口の配置は一例でありこれに限るものでなく、例えば筐体前面部に吸気口を設け、筐体背面側の上面に排気口を設けるレイアウトであってもよい。
【００１３】
また、吸気口７ａ，７ｂと同じ筐体上面の開口の一端には、図３のように吸気ダクトで仕切られたセンサーケース取付穴（吸気口７ｂ側のみ示す）７ｃが設けられ、センサーケース取付穴７ｃにセンサーケース１１Ａが取り付けられ、センサーケース１１Ａがカバー部材３ｂに収容されて外部衝撃等より保護されるようになっている。なお、センサーケース取付穴７ｃは、必ずしも吸気口７ａ，７ｂにおける吸気ダクトで仕切られた部位とする必要はなく、筐体上面における排気口６及び吸気口７ａ，７ｂでなる通風口の開口であればどこでもよいものである。また、左右のセンサーケースは、設置角度を除けば同一構成であるため、これ以降、後述の他の実施の形態も含み、一方（右側配置）のセンサーケース１１Ａについてのみ説明する。
【００１４】
この右側配置のセンサーケース１１Ａ内の赤外線センサー４は、センサー回路基板１０に直接搭載されており、ここでは前面側の一方の誘導加熱コイル８ｂが加熱する被加熱物からの赤外線を検知して温度を測定している。なお、赤外線センサーとしては、センサー素子とセンサーカバーを一体に、単独の製品として作成し、これを基板上に取り付けるタイプのものと、センサー素子を基板上に実装し、この上にセンサーカバーを取り付けるタイプのものとが有る。
【００１５】
通常、右側配置のセンサーケース１１Ａ内の赤外線センサー４が受光する水平方向の光軸の中心は、右側の誘導加熱コイル８ｂの中心に向けられ、左側配置のセンサーケース１１Ａ内の赤外線センサー４が受光する水平方向の光軸の中心は、左側の誘導加熱コイル８ａの中心に向けられ、各誘導加熱コイルの被加熱物と赤外線センサーは１対１となっている（本実施形態においては、中央の誘導加熱コイル８ｃの被加熱物温度を検知する赤外線センサーは具備されていない）。
複数の異なる製品（機種）においては、（右）誘導加熱コイルの水平方向の配置位置が異なることがある。このため、（右）センサーケース１１Ａの位置・取付角度を一定に固定した条件において、複数の製品の（右）誘導加熱コイルの水平方向の配置の中心を結ぶ線の中心に赤外線センサー４の水平方向の光軸が向くように赤外線センサー４を（右）センサーケース１１Ａ内に取り付けることにより、複数の異なる製品（機種）において（右）センサーケース１１Ａを共用化している。
このように、複数の異なる製品（機種）の誘導加熱調理器でセンサーケース１１Ａを共用することで標準化され、製品コストを低くすることができる。
【００１６】
筐体１の内部すなわちセンサーケース取付穴７ｃ内には、図３及び図８のようにセンサーケース１１Ａの水平および垂直方向の位置決めを行うプレート状の載置台９０が設けられている。載置台９０は、その筐体背面側の端部に、センサーケース１１Ａと係合可能な垂直プレート状の係止部９０ａが筐体背面から所定間隙離した状態で折曲形成されているとともに、係止部９０ａの上縁の２ヶ所に切欠部９０ｂが設けられている。一方、センサーケース１１Ａには、係止部９０ａと筐体背面との間の隙間に挿入可能な係止片部１９ｅが設けられているとともに、この係止片部１９ｅの前記隙間への挿入時に切欠部９０ｂ側となる端面の２ヶ所に、切欠部９０ｂに嵌入してその下端と係合可能な締結部（図示せず）が突設されている。したがって、センサーケース１１Ａは、係止片部１９ｅが、筐体１の係止部９０ａと背面間の隙間に挿入され、締結部が、切欠部９０ｂに嵌入してその下端に係合することで、主に水平方向の位置決めがなされ、垂直方向の補助的な位置決めもなされ、取付け位置・方向の精度を確保でき、仮固定されるようになっている。そして、この仮固定状態下から、筐体背面よりセンサーケース１１Ａの締結部にねじ（例えばタッピンねじ）１２を締め付けることで、本固定できるようになっている。このため、締結作業が容易で、作業性が高まり、製品コストを低くすることができる。
【００１７】
このように、センサーケース１１Ａは、一部が筐体上面から突出するように、また仮固定部を含む残りの部分が筐体内、つまりセンサーケース取付穴７ｃ内に納まるように、筐体内部に取り付けられる。なお、制御基板９ａ，９ｂの制御基板接続ケーブル１３（一方のみ図示）は、筐体内から引き出せる長さであり、筐体外でコネクタ部１４（一方のみ図示）の着脱作業が可能な長さとなっている。
【００１８】
センサーケース１１Ａは、大別すると、ここでは図６のように筐体上面から突出する部分の外周面が一体的に形成されてなる上部品１９Ａと下部品１８の２部品で構成される。上下の部品１９Ａ，１８が組み合わされることで、これらが一体化される。
【００１９】
センサーケース１１Ａの上部品１９Ａには、図３乃至図６及び図８のように平面的に見て筐体上面のセンサーケース取付穴７ｃのエッジ（トッププレート３０に一体形成されている）を挟むように樋部１９ｂが設けられており、その樋部１９ｂの外側壁上面がセンサーケース取付穴７ｃの周縁部の下面と対向可能な対向面１９ｃに形成され、対向面１９ｃとセンサーケース取付穴７ｃの周縁部の下面との間に樋部防水部材（第１の防水部材）３２が挿入されている。また、樋部１９ｂの排水口となる部位、つまりセンサーケース１１Ａの筐体上面と接触しない部分に、水切部１９ｄが設けられている。これにより、筐体上面のセンサーケース取付穴７ｃから侵入した液体等がセンサーケース１１Ａに伝って流れるのを防止するとともに、回収した液体等が樋部１９ｂから水切部１９ｄ以外の部分に流出するのを抑制している。
【００２０】
これを更に詳述すると、センサーケース１１Ａの上部品１９Ａの筐体上面からの突出部の前面には、図６のように赤外線センサー４が受光するための開口である矩形状の窓部１９ａが設けられている。窓部１９ａには、その側面と上面に溝が形成され、この溝に下方から赤外線透過部材５０が嵌め込まれ、固定されている。赤外線透過部材５０と溝の隙間には、第２の防水部材、ここでは不定型で接着性のある防水材料（例えばシリコン系のシールング剤等）が充填されており、防水性は確保されている。また、上部品１９Ａの筐体上面からの突出部の内部後面には、光学部材である反射鏡８０が光軸上に傾斜して配置され、接着されている。反射鏡８０は、被加熱物から放射され赤外線透過部材５０を透過して入射する赤外線の光軸を変換して赤外線センサー４に導くものである。なお、光学部材は反射鏡８０に限定されるものでなく、それ以外にプリズムの採用も可能であり、要するに光軸が変換され赤外線が減衰しないものならばよい。これにより、トッププレート３０に載置される被加熱物から放射される赤外線が垂直配置の赤外線センサー４へ入射可能となっている。
【００２１】
センサーケース１１Ａ内の赤外線センサー４の位置決めは、赤外線センサー４が直接搭載されているセンサー回路基板１０の位置決めにより行われる。センサー回路基板１０の配置角度は、図７に示す上部品１９Ａの３ヶ所の基板支持部２２ａ，２２ｂ，２２ｃにより基板面の角度は決まる。基板支持部のうち少なくとも基板支持部２２ｂは、センサー回路基板１０を図７で見て裏面（基板能動面）を支持する部分とセンサー回路基板１０の側縁を支持する部分を有するＬ形に形成されている。下部品１８には、図６のように基板支持部の対面となる３ヶ所に基板押さえ２３ａ，２３ｂ，２３ｃが設けられており、前記基板支持部２２ａ，２２ｂ，２２ｃと協調してセンサー回路基板１０を挟み込むことにより、センサー回路基板１０を曲げ等の荷重をかけることなく固定することができるようになっている。
【００２２】
また、センサー回路基板１０の水平方向の位置決めは、図６及び図７のようにセンサー回路基板１０に形成した基板位置決め穴２４に上部品１９Ａに設けられた位置決めピン２５を挿入することにより行われる。
【００２３】
また、下部品１８の底面に、図６及び図８に示すようにケーブル貫通部２６が設けられ、ケーブル貫通部２６をセンサー回路ケーブル２７が貫通している。このようにケーブル貫通部２６の形成位置を底面とすることで、液体等は重力により下方へ流れ去り、内部に液体等が侵入するのを防止している。センサー回路ケーブル２７は、言わば中継ケーブルであり、一端にセンサー回路基板コネクタ２８と接続される内部接続コネクタ２９を有するとともに、他端に制御基板接続ケーブル１３のコネクタ部１４と接続される外部接続コネクタ３１を備えている。
【００２４】
また、筐体上面におけるセンサーケース取付穴７ｃ周辺の少なくとも一部（ここでは前後および製品端側側面）に、図２及び図８のように凸条部３３，３４，３５を設けている。
【００２５】
本実施の形態の誘導加熱調理器は、次のような作用、効果を奏する。
赤外線センサー４とセンサー回路基板１０と反射鏡（光学部材）８０とを一つのセンサーケース１１Ａに納めているので、赤外線センサー４の出力がセンサー回路基板１０に到達するまでの間のノイズ・外乱の影響が減り、測定精度・信頼性が向上する。また、赤外線センサー４及びセンサー回路基板１０１の防汚性・防水性が高まり、周囲温度の変化の軽減（断熱効果）により、測定精度・信頼性が向上する。さらに、光学系の光軸調整が容易で、その精度が高まり、測定精度・信頼性が向上する。
【００２６】
センサーケース１１Ａは、一部（上部）が筐体上面から突出し、残りの部分（下部）が筐体内に納まるようねじ１２にて筐体内部に取り付けているので、筐体上面は被せるだけで良く、組み立て時の作業性が向上し、製品コストを低減できる。また、メンテナンス時もセンサーケース１１Ａを外さなくても筐体上面を取外すことができ、不要なトラブルが発生せず、メンテナンスコストを低減できる。さらに、突出部に反射鏡（光学部材）８０を配置し赤外線センサー４は配置しないため、筐体上面からの突出量を少なくでき、調理作業性・意匠性を向上させることができる。
【００２７】
筐体内部すなわちセンサーケース取付穴７ｃ内に、センサーケース１１Ａが係合可能な係止部９０ａを設け、これに仮固定して、センサーケース１１Ａの水平方向の位置決め、取付け位置・方向の精度を確保するとともに、この仮固定の状態からねじ（締結部材）１２で筐体１に固定できるようにしているので、組立性・メンテナンス性が向上し、製品コスト・メンテナンスコストを低減できる。
【００２８】
センサーケース１１Ａに、筐体上面に形成したセンサーケース取付穴７ｃの周縁部の下面と対向可能な対向面１９ｃを設けているので、センサーケース１１Ａと筐体上面のセンサーケース取付穴７ｃの周縁部の下面との密閉性が高まり、筐体内への液体等の侵入を抑制することができる。
【００２９】
センサーケース１１Ａに、平面的に見て前記筐体上面のセンサーケース取付穴７ｃのエッジを挟むように樋部１９ｂを設け、その樋部１９ｂの外側壁上面をセンサーケース取付穴７ｃのエッジの下面と対向する対向面１９ｃとするとともに、樋部１９ｂの排水口となる部位に水切部１９ｄを設けたので、筐体上面のセンサーケース取付穴７ｃから侵入した液体等は、樋部１９ｂで受け水切部１９ｄから排水できる。このため、センサーケース取付穴７ｃから侵入した液体等が筐体内に侵入することはなく、センサーケース１１Ａから筐体内やケーブルに伝わって流れるのを防止することができる。
【００３０】
制御基板とセンサー回路基板１０とを結線する制御基板接続ケーブル１３を備え、図３のように制御基板接続ケーブル１３間またはこの制御基板接続ケーブル１３とセンサー回路基板１０とを結線したまま筐体外に移動（引き回し）できるようにしているので、制御回路とセンサー回路の接続が容易となり、組立性・メンテナンス性が向上する。
【００３１】
センサー回路の接合部に中継ケーブルとなるセンサー回路ケーブル２７を設け、その一端の内部接続コネクタ２９をセンサー回路基板コネクタ２８と接続するとともに、他端をセンサーケース１１Ａの下部品１８の底面に設けたケーブル貫通部２６を貫通させ、その末端の外部接続コネクタ３１をセンサーケース１１Ａの外部において制御基板接続ケーブル１３のコネクタ部１４と接続するようにしているので、ケーブル貫通部は底部であるため重力により液体等は下方へ流れ、侵入が抑制されることから、センサーケース１１Ａへの液体等の侵入が抑制され、防汚性・信頼性が向上する。
【００３２】
センサーケース１１Ａの上部品１９Ａに設けた対向面１９ｃと筐体上面のセンサーケース取付穴７ｃの周縁部の下面との間の隙間に、樋部防水部材（第１の防水部材）３２を挿入したので、センサーケース取付穴７ｃから筐体内への液体等の侵入を抑制することができる。
【００３３】
筐体上面におけるセンサーケース取付穴７ｃ周辺の少なくとも一部（前後および製品端側側面）に、凸条部３３，３４，３５を設けているので、凸条部３３により、トッププレート上の被加熱物である液体（お湯や煮汁等）が筐体上面に溢れた場合等にセンサーケース取付穴７ｃへの侵入を抑制することができる。また、凸条部３４，３５により、筐体が設置されるシステムキッチンの上面からセンサーケース取付穴７ｃへの液体の侵入を抑制することができる。
【００３４】
センサーケース１１Ａの筐体上面からの突出部となる上部品１９Ａの外周面を一体的に形成しているので、図２のように通風口グリル２ｂと一体のカバー部材３ｂを外した状態で、センサーケース１１Ａの視認できる部位に継ぎ目が無く、したがってセンサーケース１１Ａ内への液体の流入等を抑制することができる。
【００３５】
センサーケース１１Ａの上部品１９Ａの筐体上面からの突出部の前面に、開口部となる窓枠１９ａを有し、窓枠１９ａには、その側面と上面に溝を形成し、この溝に下方から赤外線透過部材５０を嵌め込み、固定するようにしているので、赤外線透過部材５０の矩形状周縁部が外面に露出せず、ユーザーが触ってケガ等をすることがなく、安全性が確保される。
【００３６】
また、赤外線透過部材５０と溝の隙間には不定型で接着性のある防水材料を充填しているので、赤外線透過部材５０と上部品１９Ａの接触面の隙間からの液体の侵入等を抑制することができる。
【００３７】
センサーケース１１Ａの筐体上面からの突出部の少なくとも一部を覆うカバー部材３ｂを設けているので、センサーケース１１Ａへの外部からの物の衝突や液体の侵入を抑制することができる。
【００３８】
カバー部材３ｂは、赤外線透過部材５ｂで覆われた窓部を有し、通風口グリル２ｂと一体化され、筐体上面より着脱可能であるため、窓部の清掃が容易で、測定の精度を維持することが容易である。
【００３９】
カバー部材３ｂは、通風性を有し、吸気または排気を行う通気口の少なくとも一部を覆うように設けられているので、吸排気口のグリルを兼用させることが可能で、その場合には部品点数が減らせ低コスト化できる。また、このようにカバー部材３ｂに吸排気口のグリルを兼用させた場合には、吸排気口のグリルと赤外線透過部材５ｂの清掃が同時に行え、メンテナンス性が向上する。
【００４０】
なお、赤外線透過部材の表面に反射防止膜を設けることは好ましい。この場合には、赤外線の透過率が向上し、測定精度が更に向上する。
【００４１】
また、赤外線透過部材の表面に特定波長透過膜を設けることは好ましい。この場合には、不要な波長の透過が無くなり、赤外線センサー４の外乱要因が減り、精度が向上する。
【００４２】
筐体上面のセンサーケース取付穴７ｃを、吸気または排気の通風が可能な吸気口７ａ，７ｂまたは排気口６と同一の開口部に形成してあるので、筐体上面の加工が簡単で済み、コストを低減することができる。さらに、筐体上面のスペース効率が高まり、その分、吸気口・排気口の面積を大きくできて、圧力損失が低減でき、冷却ファン騒音の静音化が図れる。
【００４３】
また、複数の異なる製品（機種）の誘導加熱調理器において、（右）誘導加熱コイルの水平方向の配置位置が異なる場合においても、（右）センサーケース１１Ａの位置・取付角度を一定に固定した条件において、複数の製品の（右）誘導加熱コイルの水平方向の配置の中心を結ぶ線の中心に赤外線センサー４の水平方向の光軸が向くように赤外線センサー４を（右）センサーケース１１Ａ内に取り付けることにより、複数の異なる製品（機種）において（右）センサーケース１１Ａを共用化でき、標準化され、製品コストを低くすることができる。
【００４４】
実施の形態２．
図９は本発明の実施の形態２に係る誘導加熱調理器のトッププレートを外し、片側の通風口グリルを分解した状態の斜視図、図１０はその基板ケースユニットとチャンバを分解した状態の斜視図、図１１はセンサーケース取付穴部の斜視図、図１２はそのセンサーケース取付穴部の分解斜視図、図１３はそのセンサーケースの分解斜視図、図１４はその赤外線センサー及びセンサー回路基板の保持状態を示すセンサーケースの中間部品の下面図、図１５はそのカバー部材を含むセンサーケース取付穴部の側面断面図であり、各図中、前述の実施の形態１のものと同一機能部分には同一符号を付してある。
【００４５】
本実施の形態の誘導加熱調理器は、図９乃至図１５のようにセンサーケース１１Ｂが、大別して外周面が一体的に形成され上部品１９Ｂと中間部品１００と下面にばね座１８ａが形成された下部品１８の３部品で構成される。これら上部品１９Ｂと中間部品１００と下部品１８を組み合わせた後、載置台９０とセンサーケース１１Ｂの下部品１８との間に、センサーケース１１Ｂを下方より常時筐体上面に押し付ける付勢手段であるコイルばね（圧縮ばね）１１０を設置し、その状態でトッププレート３０を被せることで前記３部品が一体化される。
【００４６】
これを更に詳述すると、センサーケース１１Ｂの中間部品１００の筐体上面からの突出部の前面には、赤外線センサー４が受光するための矩形状の窓部１００ａが設けられ、窓部１００ａに矩形状の防水部材（第２の防水部材）２１を介して矩形状の赤外線透過部材５０が嵌め込まれている。赤外線透過部材５０の周縁部は、上部品１９Ｂの窓枠１９ａにて覆われ、内側に収納されるようになっている。また、中間部品１００の筐体上面からの突出部の後面には、光学部材である反射鏡８０が光軸上に傾斜して配置され、その周縁部が、上部品１９Ｂの内壁に当接して固定されるようになっている。反射鏡８０は、既述したように被加熱物から放射され赤外線透過部材５０を透過して入射する赤外線の光軸を変換して赤外線センサー４に導くものであり、それ以外のプリズムに置き換えることが可能なものである。これにより、トッププレート３０に載置される被加熱物から放射される赤外線が垂直配置の赤外線センサー４へ入射可能となっている。
【００４７】
センサーケース１１Ｂ内の赤外線センサー４の位置決めは、赤外線センサー４が直接搭載されているセンサー回路基板１０の位置決めにより行われる。センサー回路基板１０の配置角度は、図１４に示す中間部品１００の３ヶ所の基板支持部２２ａ，２２ｂ，２２ｃにより基板面の角度は決まる。基板支持部のうち少なくとも基板支持部２２ｂは、センサー回路基板１０を図１４で見て裏面（基板能動面）を支持する部分とセンサー回路基板１０の側縁を支持する部分を有するＬ形に形成されている。下部品１８には、図１３（図６も参照）のように基板支持部の対面となる３ヶ所に基板押さえ２３ａ，２３ｂ，２３ｃが設けられており、前記基板支持部２２ａ，２２ｂ，２２ｃと協調してセンサー回路基板１０を挟み込むことにより、センサー回路基板１０を曲げ等の荷重をかけることなく固定することができるようになっている。
【００４８】
また、センサー回路基板１０の水平方向の位置決めは、図１３及び図１４のようにセンサー回路基板１０に形成した基板位置決め穴２４に中間部品１００に設けられた位置決めピン２５を挿入することにより行われる。
【００４９】
また、中間部品１００の上面の角部の３ヶ所には、図１３及び図１５のように筐体上面センサーケース取付穴７ｃの周縁部の下面と当接することで、センサーケース１１Ｂの高さ方向の位置決めを行う位置決めピン１０２ａ，１０２ｂ，１０２ｃが立設されている。また、中間部品１００の下面の対角位置の２ヶ所には、図１２乃至図１５のようにセンサーケース１１Ｂの水平方向の位置・角度の決めを行う位置決めピン１０１ａ，１０１ｂが垂下して設けられていて、これら位置決めピン１０１ａ，１０１ｂが、筐体１側の載置台９０に設けた位置決め穴９０ｃ，９０ｄに挿入されるようになっている。
【００５０】
載置台９０は、下方のばね座としての機能も有しており、中央部にばね用係止片９０ｅが切り起こしにより形成され、ばね用係止片９０ｅがコイルばね１１０と係合することで、コイルばね１１０が載置台９０から脱落するのを防止している。
【００５１】
なお、本実施の形態においては、図１５に示すようにカバー部材３ｂ（３ａ）の窓部３ｃに赤外線透過部材が取り付けられておらず、カバー部材３ｂ（３ａ）の窓部３ｃを通して空気が流通できるようにしている。
【００５２】
また、センサーケース１１Ｂの前面側に、中間部品１００と上部品１９Ｂとによって風路が形成されている。すなわち、センサーケース１１Ｂの筐体内への収納部の前面側に、吸気口１００ｂが設けられているとともに、センサーケース１１Ｂの筐体上面からの突出部である上部品１９Ｂの窓枠１９ａに、中間部品１００における赤外線透過部材配置面に沿うスリット状のノズルに形成された排気口１９ｆが設けられており、かつこれら吸気口１００ｂと排気口１９ｆの間が風路１００ｃにより通風可能に構成されている。これにより、赤外線透過部材５０をエアカーテンによって保護することが可能となり、赤外線透過部材５０への塵埃や油煙の付着、湯気（水蒸気）の結露を抑制することができる。さらに、カバー部材３ｂ内の圧力が高まることで、カバー部材３ｂの窓部３ｃから室内に空気が放出されるため、カバー部材３ｂ内への塵埃や油煙の侵入も抑制される。カバー部材３ｂの内部と通風口グリル２ｂ部は、ダクトによって概ね分離されており、カバー部材３ｂから吹出された空気が直接吸気口７ｂから吸われることはない。特に、カバー部材３ｂの吹出口となる窓部３ｃは、筐体上面より高い位置に配置されるため、液体等の侵入は抑制される。
【００５３】
また、本実施の形態の誘導加熱調理器においては、図９のように前側の誘導加熱コイル８ａ，８ｂ（一方のみ図示）の下方に、上面に吹出口６１を有し、基板ケースユニット７０に接続されたチャンバ６０が配置されている。なお、筐体内部の圧力が冷却風により筐体外部に比べ高くなっていれば、チャンバ６０は必ずしも必要ではなく、冷却風が筐体内に送風されていれば同様の効果が得られるものである。
【００５４】
基板ケースユニット７０には、図１０のように電動機７６によって駆動される冷却ファン７１が設けられ、回路部品や誘導加熱コイルの冷却を行うための冷却風を送風している。冷却風は、吸気口７ｂに接続される吸気ダクト７２から吸引され、基板ケース吸気口７３から基板ケース内に入り、冷却ファン７１によりケース内の制御回路基板７４の発熱部品を冷却した後、基板ケース排気口７５より排気されるようになっている。また、基板ケース排気口７５から排気された冷却風は、基板ケース排気口７５に接続されるチャンバ吸気口６２よりチャンバ６０に流入して、チャンバ上面の吹出口６１より上方の誘導加熱コイル８ｂ（図２参照）の底面に吹き付けられ、誘導加熱コイル８ｂを冷却した後、筐体上面後方の排気口６へ流れ、筐体外へ排気されるようになっている。
【００５５】
なお、電動機７６により冷却ファン７１が駆動されて筐体内に冷却風が送風されると、筐体内の圧力が高くなる。これにより、圧力の低い筐体１の開口部（排気口６や前述したセンサーケース１１Ｂの排気口１９ｆなど）に向かう気流が形成される。センサーケース１１Ｂからの吹出空気の清浄性を保つため、筐体前面側から外部の空気を取り入れる、又はセンサーケース１１Ｂの吸込口に流入する空気は空気清浄フィルターを通した後とする、等の手段を講じてもよい。
【００５６】
また、センサーケース１１Ｂの下部品１８の底部には、図１３及び図１５のようにコネクタ貫通部２６ａが形成され、センサー回路基板コネクタ２８がセンサー回路基板１０からコネクタ貫通部２６ａまで延出して設けられていて、センサー回路基板コネクタ２８と制御基板接続ケーブル１３のコネクタ部１４とを直接接続することで、制御回路とセンサー回路とが結線されるようにしている。それ以外の構成（カバー部材３ｂ（３ａ）の窓部３ｃに赤外線透過部材が取り付けられていない構成を除く）は前述の実施の形態１のものと同一であり、実施の形態１のもつ基本機能は全て備えているものである。
【００５７】
このように、本実施の形態の誘導加熱調理器においては、コイルばね１１０によってセンサーケース１１Ｂを下方より常時筐体上面に押し付けるようにしているので、筐体上面とセンサーケース１１Ｂの上下方向の位置関係、取付け角度の精度が高まり、測定精度が向上する。
【００５８】
また、センサーケース１１Ｂの筐体内への収納部の前面側に、吸気口１００ｂを設けるとともに、センサーケース１１Ｂの筐体上面からの突出部となる上部品１９の窓枠１９ａに、赤外線透過部材配置面に沿うスリット状のノズルに形成された排気口１９ｆを設け、これら吸気口１００ｂと排気口１９ｆの間を風路１００ｃにより通風可能としたので、カバー部材３ｂ（３ａ）の窓部３ｃに赤外線透過部材を取り付ける必要がなくなって、赤外線透過部材の数を減らせ、赤外線透過部材を透過する光が赤外線透過部材により吸収されることによる検出光（赤外線）の減衰（損失）を低減することができ、測定精度が向上する。さらに、赤外線透過部材５０への塵埃や油煙の付着、湯気（水蒸気）の結露をエアカーテンにより抑制することができる。
【００５９】
また、センサーケース１１Ｂの下部品１８の底部にコネクタ貫通部２６ａを形成し、センサー回路基板コネクタ２８をセンサー回路基板１０からコネクタ貫通部２６ａまで延出して設け、制御基板接続ケーブル１３のコネクタ部１４と直接接続できるようにしているので、基板の部品であるコネクタが露出せず、コネクタ貫通部は底部であるため重力により液体等は下方へ流れ、侵入が抑制され、防汚性・信頼性が向上する。さらに、中継ケーブルが不要となり、その分、ケーブルやコネクタの数が少なくて済み、部品コスト、組立コストを低くでき、製品コストを下げることができる。なお、ここでも制御基板接続ケーブル１３は、筐体内から引き出せる長さにして、筐体外でコネクタ部１４の着脱作業を行えるようにすることが望ましい。
【００６０】
ところで、本発明のようにセンサーケースを筐体内部に取り付ける方式においては、センサーケースの筐体内部の部分は、寸法・形状の制約が少なく、そのためセンサーケースの筐体内部の部分の容積を大きくすることができる。そのため、例えば光学部材である反射鏡８０と赤外線センサー４との組合せを一体で、又は反射鏡８０と赤外線センサー４とセンサーが取付けられたセンサー回路基板１０との組合せを一体で直線移動または回動させる駆動手段を内蔵することもできる。この場合、センサーの光軸を移動しながら検知するスキャンが可能となり、多様で精度の高いセンシングを実現することができる。なお、駆動装置は別室にしてもよいものである。
【符号の説明】
【００６１】
１  筐体、９０ａ  係止部、３ａ，３ｂ  カバー部材、３ｃ  カバー部材の窓部、４  赤外線センサー、５ａ，５ｂ，５０  赤外線透過部材、６  排気口、７ａ，７ｂ  吸気口、７ｃ  センサーケース取付穴、８ａ，８ｂ，８ｃ  誘導加熱コイル、９ａ，９ｂ  制御回路、１０  センサー回路基板、１１Ａ，１１Ｂ  センサーケース、１２  ねじ（締結部材）、１３  接続ケーブル、１４  接続ケーブルコネクタ、１９Ａ，１９Ｂ  上部品（センサーケースの突出部）、１９ａ  窓部（突出部の開口部）、１９ｂ  樋部、１９ｃ  対向面、１９ｄ  水切部、１９ｆ  センサーケースの排気口、２１  防水部材（第２の防水部材）、２７  センサー回路ケーブル、２８  センサー回路基板コネクタ（センサー回路の接合部）、３０  トッププレート、３１  外部接続コネクタ、３２  樋部防水部材（第１の防水部材）、３３，３４，３５  凸条部、８０  反射鏡（光学部材）、１００  中間部品、１００ｃ  センサーケースの風路、１００ｂ  センサーケースの吸気口、１０１ａ，１０１ｂ  水平方向の位置決めピン、１０２ａ，１０２ｂ，１０２ｃ  高さ方向の位置決めピン、１１０  コイルばね（付勢手段）。
【図１】
2011187372.tif 000003
【図２】
2011187372.tif 000004
【図３】
2011187372.tif 000005
【図４】
2011187372.tif 000006
【図５】
2011187372.tif 000007
【図６】
2011187372.tif 000008
【図７】
2011187372.tif 000009
【図８】
2011187372.tif 000010
【図９】
2011187372.tif 000011
【図１０】
2011187372.tif 000012
【図１１】
2011187372.tif 000013
【図１２】
2011187372.tif 000014
【図１３】
2011187372.tif 000015
【図１４】
2011187372.tif 000016
【図１５】
2011187372.tif 000017